【手続補正書】
【提出日】平成25年7月20日(2013.7.20)
【手続補正１】
【補正対象書類名】特許請求の範囲
【補正対象項目名】全文
【補正方法】変更
【補正の内容】
【特許請求の範囲】
【請求項１】
ストップコックであって、当該ストップコック内の流れを特定する直感的な機能状態表示を備え、
凹部を有するバルブ本体と、
前記バルブ本体に結合された少なくとも２つの流路であって、当該各流路は、前記バルブ本体に流体を入出させるようなっているものである、前記少なくとも２つの流路と、
前記バルブ本体の前記凹部内に配置される中央多岐管であって、この中央多岐管は、
当該中央多岐管に隣接して連結されたオフセットハンドル（ｏｆｆｓｅｔ  ｈａｎｄｌｅ）を有し、
前記オフセットハンドルにより前記バルブ本体に対して回転されるようなっており、
当該中央多岐管の内部に内設され、複数の端部を有する少なくとも１つの流路と、
前記複数の端部を有する少なくとも１つの流路の端部であって、前記バルブ本体の前記少なくとも２つの流路のうちのいずれかと選択的に位置合わせできるものである、前記端部と
を有するものである、
前記中央多岐管と、
前記バルブ本体に対して固定された第１のインジケータ部分であって、当該第１のインジケータ部分上には複数のマークが設けられているものである、前記第１のインジケータ部分と、
前記中央多岐管に連結され、前記第１のインジケータ部分に重ね合わせられる第２のインジケータ部分であって、
前記第２のインジケータ部分は、前記中央多岐管の回転に伴って回転するようなっており、
前記第１のインジケータ部分および前記第２のインジケータ部分は相互作用して、前記ストップコックの機能状態を示す前記複数のマークを表示するものである、
前記第２のインジケータ部分と
の組み合わせを有し、
前記第１のインジケータ部分の前記複数のマークのうち少なくとも１つは各流路に隣接し、
前記第２のインジケータ部分は、前記バルブ本体の流路のうち前記中央多岐管を介して開放された流路に隣接するマークを除き、前記第１のインジケータの前記複数のマークをすべて覆い隠すように構成された物体を含むものであり、
前記第２のインジケータ部分は複数の窓を伴う表面を含み、当該窓は前記中央多岐管の前記複数の端部を有する少なくとも１つの流路の端部に隣接して配置されるものであり、これにより、前記中央多岐管の前記流路の端部が前記バルブ本体の前記流路に位置合わせされたとき、前記第１のインジケータ部分の前記複数のマークは前記第２のインジケータ部分の前記複数の窓に位置合わせされて前記第２のインジケータ部分の前記表面を通して表示されるものであり、
前記第１のインジケータ部分は前記複数のマークを表面上に伴うプレートにより形成されており、当該プレートは、前記第２のインジケータ部分の前記表面に隣接して配置され、
前記第１のインジケータ部分および前記第２のインジケータ部分は、肉薄の互いに平行に配置されたプレートにより形成され、
前記バルブ本体の凹部および前記中央多岐管は、互いに嵌合する円筒形状を有し、
前記第１のインジケータプレートは、前記バルブ本体が挿嵌される中央円形状穴部を有するものである
ストップコック。
【請求項２】
ストップコックであって、当該ストップコック内の流れを特定する直感的な機能状態表示を備え、
バルブ本体と、
前記バルブ本体に結合された少なくとも２つの流路であって、当該各流路は、前記バルブ本体に流体を入出させるようなっているものである、前記少なくとも２つの流路と、
前記バルブ本体内に配置される中央多岐管であって、この中央多岐管は、
前記バルブ本体に対して回転されるようなっており、
当該中央多岐管の内部に内設され、複数の端部を有する少なくとも１つの流路と、
前記複数の端部を有する少なくとも１つの流路の端部であって、前記バルブ本体の前記少なくとも２つの流路のうちのいずれかと選択的に位置合わせできるものである、前記端部と
を有するものである、
前記中央多岐管と、
前記バルブ本体に対して固定された第１のインジケータ部分であって、当該第１のインジケータ部分上には複数のマークが設けられているものである、前記第１のインジケータ部分と、
前記中央多岐管に連結され、前記第１のインジケータ部分に重ね合わせられる第２のインジケータ部分であって、
前記第２のインジケータ部分は、前記中央多岐管の回転に伴って回転するようなっており、
前記第１のインジケータ部分および前記第２のインジケータ部分は相互作用して、前記ストップコックの機能状態を示す前記複数のマークを表示するものである、
前記第２のインジケータ部分と
の組み合わせを有し、
前記第１のインジケータ部分の前記複数のマークのうち少なくとも１つは各流路に隣接し、
前記第２のインジケータ部分は、前記バルブ本体の流路のうち前記中央多岐管を介して開放された流路に隣接するマークを除き、前記第１のインジケータの前記複数のマークをすべて覆い隠すように構成された物体を含むものであり、
前記第２のインジケータ部分は複数の窓を伴う表面を含み、当該窓は前記中央多岐管の前記複数の端部を有する少なくとも１つの流路の端部に隣接して配置されるものであり、これにより、前記中央多岐管の前記流路の端部が前記バルブ本体の前記流路に位置合わせされたとき、前記第１のインジケータ部分の前記複数のマークは前記第２のインジケータ部分の前記複数の窓に位置合わせされて前記第２のインジケータ部分の前記表面を通して表示されるものであり、
前記第１のインジケータ部分は前記複数のマークを表面上に伴うプレートにより形成されており、当該プレートは、前記第２のインジケータ部分の前記表面に隣接して配置され、
前記第１のインジケータ部分の前記プレートおよび前記第２のインジケータ部分の前記表面は、それぞれ、前記バルブ本体からノブが延出する側部と反対側の側部に配置され、当該ノブは、利用者の手で操作され、前記中央多岐管を前記バルブ本体に対して回転させるようなっているものであるストップコック。
【請求項３】
請求項１記載のストップコックにおいて、前記第１のインジケータ部分の前記プレートおよび前記第２のインジケータ部分の前記表面は、いずれも、前記ハンドルを有する前記バルブ本体の側部に配置され、当該ハンドルは利用者により操作され、前記中央多岐管を回転させるようなっているものであるストップコック。
【請求項４】
請求項３記載のストップコックにおいて、前記ストップコックは、前記バルブ本体の前記ハンドルと反対側の側部に固定された指掛けを含み、これにより、利用者は、前記ハンドルを回転させる際に反トルクを適用することが可能となるものであるストップコック。
【請求項５】
請求項１記載のストップコックにおいて、前記中央多岐管は、当該中央多岐管の回転軸に沿って伸びる軸方向の流路を含み、この軸方向の流路は、前記中央多岐管の端部まで延長する前記複数端を有する流路のうちの少なくとも１つと前記中央多岐管内で交差するものであり、これにより、前記ストップコック内で、前記中央多岐管の回転に影響されない軸方向に付加的な流路が提供されるものであるストップコック。
【請求項６】
請求項５記載のストップコックにおいて、前記バルブ本体は、前記中央多岐管の回転軸に実質的に垂直に、互いに約１８０°離間されて前記バルブ本体から径方向に延在する２つの流路を含み、前記中央多岐管は、径方向に、対向しあう端部に向かって延在し、且つ互いに約１８０°離間されて配置される単一の流路を含み、前記中央多岐管内の前記流路の前記２つの端部は、前記バルブ本体の前記２つの流路に選択的に位置合わせされるようなっているものであるストップコック。
【請求項７】
請求項５記載のストップコックにおいて、前記バルブ本体は、前記中央多岐管の回転軸に実質的に垂直な共通の平面内に配置された３つの流路を含み、当該流路のうちの２つは、互いに実質的に１８０°離れて配置され、当該流路のうちの１つは、他の流路の各々から実質的に９０°離れて配置されており、
前記中央多岐管は、互いに開放された前記流路の３つの端部を含み、前記端部のうちの２つは互いに１８０°離れて配置され、前記端部のうちの１つは、他の２つの端部から９０°離れて配置されており、前記中央多岐管の前記端部は、当該中央多岐管の３つの端部すべてが前記バルブ本体の３つの流路すべてに位置合わせされる第１の構成と、前記中央多岐管の互いに１８０°離間された２つの端部が前記バルブ本体の互いに１８０°離間された２つの流路に位置合わせされる第２の配置と、前記中央多岐管の種々の隣接しあう前記端部の対が前記バルブ本体の種々の隣接しあう前記流路の対に位置合わせされる第３および第４の配置とを含む少なくとも４つの構成で、前記バルブ本体の前記流路に位置合わせされるようなっているものであるストップコック。
【請求項８】
請求項１記載のストップコックにおいて、前記バルブ本体は、前記中央多岐管の回転軸に垂直な共通の平面内に配置された４つの流路を含み、この４つの流路は、それぞれ隣接する２つの前記流路から実質的に９０°離間され、前記中央多岐管は、前記少なくとも１つの複数端を有する流路に４つの端部を含み、これら４つの端部は、互いに実質的に１８０°離間された２つの端部と、互いに実質的に９０°離間された２つの端部とを含むものであるストップコック。
【請求項９】
請求項８記載のストップコックにおいて、前記中央多岐管は、互いに１８０°離間された２つの端部間に延在する第１の埋め込み流体流路と、第２および第３の流体流路とを有する円形の外周を含み、当該第２および第３の流体流路は、前記第１の流体流路と交差し、前記第１の流体流路と、前記第２および第３の流体流路の互いに９０°離間された端部とに共通する側部上の端部へと延在するものであるストップコック。
【請求項１０】
請求項８記載のストップコックにおいて、前記中央多岐管は、第１および第２の端部の間に延在する第１の流路と、第３および第４の端部の間に延在する第２の流路とを有する円形の外周を含み、前記第１の流路は、互いに１８０°離間された端部を有し、前記第２の流路は、互いに９０°離間された端部を有し、前記第２の流路は、前記第１の流路と実質的に平行に位置し、前記第１の流路から側方へ離間されるものであるストップコック。
【請求項１１】
請求項８記載のストップコックにおいて、前記中央多岐管は、互いに１８０°離間された第１および第２の端部の間に延在する第１の流路と、前記第１の流路に結合され、当該第１の流路の前記端部の１つから４５°離間された端部を有する第３の流路と、前記第１の流路に結合され、当該第１の流路の前記端部のうちの１つから４５°離間され、前記第３の流路の前記端部から９０°離間された端部を有する第４の流路とを有する実質的に円形の外周を含み、前記第３の流路および前記第４の流路は、前記第１の流路に対して反対側に位置するものであるストップコック。
【請求項１２】
請求項８記載のストップコックにおいて、前記中央多岐管は、少なくとも２つの複数端を有する流路を含み、当該少なくとも２つの複数端を有する流路はその端部間に延在し、当該少なくとも２つの複数端を有する流路のうち第１の流路は、互いに１８０°離れて位置する端部を有し、当該少なくとも２つの複数端を有する流路のうち第２の流路は、互いに９０°離れて位置する端部を有し、前記流路のうち少なくとも１つの流路は、その端部間で前記中央多岐管の円形の外周に沿って湾曲した形態を有するものであるストップコック。
【請求項１３】
請求項１記載のストップコックにおいて、前記バルブ本体は、当該バルブ本体に結合され且つ前記中央多岐管の回転軸に垂直な共通の平面内に配置された少なくとも３つの流路を含み、前記中央多岐管は、当該中央多岐管の中心において、軸方向に、前記流路の各々に対して垂直に延びる軸方向の流路と、互いに実質的に１８０°離間された端部間に延在し、且つ当該中央多岐管の軸方向の流路に結合された第１の流路とを含み、さらに、前記第１の流路から離間され、少なくとも１つの端部が当該中央多岐管の円形の外周上にある少なくとも２つの他の流路を付加的に含むものであり、当該少なくとも２つの他の流路は、端部が前記第１の流路の端部のうちの１つから４５°離間された第２の流路と、端部が前記第１の流路の各端部から９０°離間された第３の流路とを含み、少なくとも８つの異なる位置が前記ストップコックに提供されるものであるストップコック。
【請求項１４】
請求項１記載のストップコックにおいて、前記複数のマークは、明るい色の色素および蛍光色素を含む群から得られる色素で視覚的に強調されたものであるストップコック。
【請求項１５】
請求項１記載のストップコックにおいて、前記ストップコックは、少なくとも１つの他の同様なストップコックと直列に合着されて、複数ストップコック付き多岐管を形成するものであるストップコック。
【請求項１６】
複数のポートを有するストップコックであって、
バルブ本体と、
前記バルブ本体に固定された少なくとも２つの流路であって、前記バルブ本体に流体を入出させるようなっているものである、前記少なくとも２つの流路と、
前記バルブ本体内に配置される中央多岐管であって、この中央多岐管は、
前記バルブ本体に対して回転するようなっており、
当該中央多岐管の内部に内設される少なくとも１つの軸方向の流路であって、当該流路は当該中央多岐管を軸方向に沿って伸び、当該中央多岐管の軸方向反対側の端部を貫通するものであり、これにより、当該中央多岐管の前記バルブ本体に対する全ての回転位置において、当該中央多岐管を軸方向に貫通する流れが可能となるものである、前記少なくとも１つの軸方向の流路と、
前記少なくとも１つの軸方向の流路と交差する複数の非軸方向の流路と
を有するものである、
前記中央多岐管とを有し、
前記非軸方向の流路は、前記少なくとも２つの流路に選択的に位置合わせされ、前記バルブ本体内の流体流通を制御するようなっているものである
複数のポートを有するストップコック。
【請求項１７】
請求項１６記載の複数のポートを有するストップコックにおいて、前記非軸方向の流路は、前記軸方向の流路に対して少なくとも一部径方向に延在するものである複数のポートを有するストップコック。
【請求項１８】
請求項１６記載の複数のポートを有するストップコックにおいて、前記中央多岐管は、前記軸方向の流路の少なくとも一部に位置合わせされた中心軸を中心として回転するものである複数のポートを有するストップコック。
【請求項１９】
請求項１８記載の複数のポートを有するストップコックにおいて、前記少なくとも２つの流路は、前記中央多岐管の前記回転軸に実質的に垂直に延在するものである複数のポートを有するストップコック。
【請求項２０】
請求項１９記載の複数のポートを有するストップコックにおいて、前記バルブ本体は、前記中央多岐管の回転軸に実質的に垂直な共通の平面内に配置された少なくとも３つの流路を含み、当該流路のうちの２つは、互いに実質的に１８０°離れて配置され、当該流路のうちの１つは、他の流路の各々に実質的に垂直に配置されており、
前記中央多岐管の非軸方向の流路は端部を含み、当該端部は、少なくとも３つの端部を含み、それらの端部のうち２つは、互いに実質的に１８０°離れて配置され、前記端部のうち１つは、その他の前記端部の各々から実質的に９０°離れて配置され、前記中央多岐管の前記少なくとも３つの端部は、前記少なくとも３つの流路のうちのいずれかと選択的に位置合わせされ、前記流路のうち複数の異なる流路を選択的に相互連結し、前記中央多岐管の前記軸方向の流路に連結するものである複数のポートを有するストップコック。
【請求項２１】
請求項１６記載の複数のポートを有するストップコックにおいて、第１のインジケータ部分は前記バルブ本体に対して固定されており、第２のインジケータ部分は前記中央多岐管に連結され、当該中央多岐管の回転に伴って回転するようなっており、前記第１のインジケータ部分および前記第２のインジケータ部分は相互作用することにより、前記バルブ本体の前記少なくとも２つの流路のうち、前記中央多岐管内の貫流を可能とするために開放されている流路を示す複数のマークを表示するものである複数のポートを有するストップコック。
【請求項２２】
少なくとも１つの流体源から少なくとも１つの送達先へ流体を選択的に送る少なくとも６方のストップコックであって、
バルブ本体と、
前記バルブ本体に結合された少なくとも４つの流路であって、当該流路は、共通の平面内に配置され、且つ互いに実質的に等間隔で離間されており、
前記流路の各々は、前記バルブ本体に流体を入出させるようなっているものである、
前記少なくとも４つの流路と、
前記バルブ本体内に配置される中央多岐管であって、この中央多岐管は、
当該中央多岐管に隣接して連結されたオフセットハンドル（ｏｆｆｓｅｔ  ｈａｎｄｌｅ）を有し、
前記少なくとも４つの流路が配置される平面に非平行な回転軸を中心として、前記オフセットハンドルにより前記バルブ本体に対して回転されるようなっており、
当該中央多岐管の内部に内設され、複数の端部を有する少なくとも１つの流路と、
少なくとも４つの流路端部であって、当該流路端部の各々は当該中央多岐管内の少なくとも１つの他の流路端部に連結されるものである、前記少なくとも４つの流路端部と
を有し、
前記少なくとも４つの流路端部は、前記少なくとも４つの流路のうちのいずれかと選択的に位置合わせできるものであり、
前記端部のうちの少なくとも２つは、当該中央多岐管の回転軸を中心として互いに実質的に１８０°離間され、
前記端部のうちの少なくとも２つは、当該中央多岐管の前記回転軸中心として互いに９０°離間されるものである
前記中央多岐管と、
前記バルブ本体に対して固定された第１のインジケータ部分であって、当該第１のインジケータ部分上には複数のマークが設けられているものである、前記第１のインジケータ部分と、
前記中央多岐管に連結され、前記第１のインジケータ部分に重ね合わせられる第２のインジケータ部分であって、
前記第２のインジケータ部分は、前記中央多岐管の回転に伴って回転するようなっており、
前記第１のインジケータ部分および前記第２のインジケータ部分は相互作用して、前記ストップコックの機能状態を示す前記複数のマークを表示するものである、
前記第２のインジケータ部分と
の組み合わせを有し、
前記第１のインジケータ部分の前記複数のマークのうち少なくとも１つは各流路に隣接し、
前記第２のインジケータ部分は、前記バルブ本体の流路のうち前記中央多岐管を介して開放された流路に隣接するマークを除き、前記第１のインジケータの前記複数のマークをすべて覆い隠すように構成された物体を含むものであり、
前記第２のインジケータ部分は複数の窓を伴う表面を含み、当該窓は前記中央多岐管の前記複数の端部を有する少なくとも１つの流路の端部に隣接して配置されるものであり、これにより、前記中央多岐管の前記流路の端部が前記バルブ本体の前記流路に位置合わせされたとき、前記第１のインジケータ部分の前記複数のマークは前記第２のインジケータ部分の前記複数の窓に位置合わせされて前記第２のインジケータ部分の前記表面を通して表示されるものであり、
前記第１のインジケータ部分は前記複数のマークを表面上に伴うプレートにより形成されており、当該プレートは、前記第２のインジケータ部分の前記表面に隣接して配置されるものである
少なくとも６方のストップコック。
【請求項２３】
請求項２２記載の少なくとも６方のストップコックにおいて、前記少なくとも４つの流路端部は、前記中央多岐管内の少なくとも２つの別個の流路に伴い、前記少なくとも２つの別個の流路の端部を画成するものである少なくとも６方のストップコック。
【請求項２４】
請求項２３記載の少なくとも６方のストップコックにおいて、前記中央多岐管内の前記流路のうち少なくとも１つは、前記中央多岐管の実質的に円形の外周に沿ったものである少なくとも６方のストップコック。
【請求項２５】
少なくとも１つの流体源から少なくとも１つの送達先へ流体を選択的に送る少なくとも６方のストップコックであって、
バルブ本体と、
前記バルブ本体に結合された少なくとも４つの流路であって、当該流路は、共通の平面内に配置され、且つ互いに実質的に等間隔で離間されており、
前記流路の各々は、前記バルブ本体に流体を入出させるようなっているものである、
前記少なくとも４つの流路と、
前記バルブ本体内に配置される中央多岐管であって、この中央多岐管は、
当該中央多岐管に隣接して連結されたオフセットハンドル（ｏｆｆｓｅｔ  ｈａｎｄｌｅ）を有し、
前記少なくとも４つの流路が配置される平面に非平行な回転軸を中心として、前記オフセットハンドルにより前記バルブ本体に対して回転されるようなっており、
当該中央多岐管の内部に内設され、複数の端部を有する少なくとも１つの流路と、
少なくとも４つの流路端部であって、当該流路端部の各々は当該中央多岐管内の少なくとも１つの他の流路端部に連結されるものである、前記少なくとも４つの流路端部と
を有し、
前記少なくとも４つの流路端部は、前記少なくとも４つの流路のうちのいずれかと選択的に位置合わせできるものであり、
前記端部のうちの少なくとも２つは、当該中央多岐管の回転軸を中心として互いに実質的に１８０°離間され、
前記端部のうちの少なくとも２つは、当該中央多岐管の前記回転軸中心として互いに９０°離間されるものである
前記中央多岐管と
の組み合わせを有し、
第１のインジケータ部分のプレートおよび第２のインジケータ部分の表面は、それぞれ、前記バルブ本体の前記ハンドルがある側部と反対側の側部に配置されているものである
少なくとも６方のストップコック。
【請求項２６】
少なくとも１つの流体源から少なくとも１つの送達先へ流体を選択的に送る少なくとも６方のストップコックであって、
バルブ本体と、
前記バルブ本体に結合された少なくとも４つの流路であって、当該流路は、共通の平面内に配置され、且つ互いに実質的に等間隔で離間されており、
前記流路の各々は、前記バルブ本体に流体を入出させるようなっているものである、
前記少なくとも４つの流路と、
前記バルブ本体内に配置される中央多岐管であって、この中央多岐管は、
当該中央多岐管に隣接して連結されたオフセットハンドル（ｏｆｆｓｅｔ  ｈａｎｄｌｅ）を有し、
前記少なくとも４つの流路が配置される平面に非平行な回転軸を中心として、前記オフセットハンドルにより前記バルブ本体に対して回転されるようなっており、
当該中央多岐管の内部に内設され、複数の端部を有する少なくとも１つの流路と、
少なくとも４つの流路端部であって、当該流路端部の各々は前記中央多岐管内の少なくとも１つの他の流路端部に連結されるものである、前記少なくとも４つの流路端部と
を有し、
前記少なくとも４つの流路端部は、前記少なくとも４つの流路のうちのいずれかと選択的に位置合わせできるものであり、
前記端部のうちの少なくとも２つは、前記中央多岐管の回転軸を中心として互いに実質的に１８０°離間され、
前記端部のうちの少なくとも２つは、前記中央多岐管の前記回転軸中心として互いに９０°離間されるものであり、
当該中央多岐管の内部に内設される少なくとも１つの軸方向の流路であって、当該流路は当該中央多岐管を軸方向に沿って伸び、当該中央多岐管の軸方向反対側の端部を貫通するものである、前記少なくとも１つの軸方向の流路を有し、
前記複数の端部を有する少なくとも１つの流路は、前記少なくとも１つの軸方向の流路と交差するものである
前記中央多岐管と
の組み合わせを有する少なくとも６方のストップコック
【請求項２７】
ストップコックであって、
内部凹部を有するバルブ本体と、
前記バルブ本体に結合された、第１のポート、第２のポート、および第３のポートであって、
前記第１のポート、前記第２のポート、および前記第３のポートの各々は、前記バルブ本体の前記内部凹部と流体連通し、
前記第１のポートおよび前記第３のポートは、前記バルブ本体を通って伸びる共通の線に沿って配置され、前記第２のポートは、前記バルブ本体における、前記１のポートと前記第３のポートとの間の中央位置に連結されているものである、
前記第１のポート、前記第２のポート、および前記第３のポートと、
複数の流路が組み込まれ、且つ前記バルブ本体の前記内部凹部に嵌合するように形成された中央ハブと、
前記バルブ本体に対して固着されている第１のインジケータ部分と、
前記中央ハブに連結され、前記バルブ本体内で前記中央ハブを回転させるオフセットハンドルであって、当該中央ハブの回転により、当該中央ハブに組み込まれた複数の流路は前記第１のポート、前記第２のポート、および前記第３のポートのうち選択されたポートと流通するものであり、
当該オフセットハンドル上には、前記ポートのうちの１つが閉鎖されていることを示す表示が設けられているものである、
前記オフセットハンドルと、
前記ハンドルに対して固定され、前記ハンドルが回転することにより回転される第２のインジケータ部分であって、前記第１のインジケータ部分に近接して配置されるものである、前記第２のインジケータ部分と
を有し、
前記第１のインジケータ部分および前記第２のインジケータ部分は相互作用して、前記第１のポート、前記第２のポート、および前記第３のポートに対して前記組み込まれた流路が現在開放されている位置を特定する複数のマークを表示するように構成されているものであり、
前記表示が設けられている前記ハンドルの一部が前記第１のポート、前記第２のポート、および前記第３のポートうちの１つと一直線上になるとき、当該ハンドルの一部と一直線上になっているポートは閉鎖され、前記第１のポート、前記第２のポート、および前記第３のポートのうち残りの２つは開放されているものであり、
前記表示が設けられている前記ハンドルの一部が前記第２のポートと対向する側にあるとき、前記第１のポート、前記第２のポート、および前記第３のポートの各々は開放されているものである
ストップコック。
【請求項２８】
請求項２７記載のストップコックにおいて、前記表示が設けられている前記ハンドルの一部が４つの主要位置にあるとき、当該ストップコックの少なくとも１つの流路は少なくとも２つのポート間で開放されているものであり、
前記４つの主要位置は、前記ハンドルの一部が前記第１のポートと一直線上になる第１の主要位置と、前記ハンドルの一部が前記第２のポートと一直線上になる第２の主要位置と、前記ハンドルの一部が前記第３のポートと一直線上になる第３の主要位置と、前記ハンドルの一部が前記第４のポートと一直線上になる第４の主要位置とを含むものである
ストップコック。
【請求項２９】
請求項２８記載のストップコックにおいて、前記ハンドルは前記中央ハブに固定された中央ノブを含み、当該中央ノブは細長い形状を有し且つ前記中央ハブの回転軸に対して垂直に延長するものであり、その細長い形状と平行な線に沿って且つ前記回転軸から離れる方向に向かって延長するものである
ストップコック。
【請求項３０】
請求項２７記載のストップコックにおいて、前記ハンドルの一部が前記第１のポート、第２のポート、および第３のポートのうちの１つを含まない所定の主要位置にあるとき、前記組み込まれた流路の全ては前記第１のポート、第２のポート、および第３のポートのうちの１つと一直線上になって全ポート間に共通の流れを提供するものであるストップコック。
【手続補正２】
【補正対象書類名】明細書
【補正対象項目名】０００７
【補正方法】変更
【補正の内容】
【０００７】
確かにＭａｎｓｋａのストップコック（米国特許第５，１５６，１８６号明細書）では、「ＯＮ」と「ＯＦＦ」の頭文字「Ｏ」が可動部品の位置に応じて「Ｎ」または「ＦＦ」のどちらかと位置合わせされることで、所与のポートのステータスがオンかオフかの表示を改善する試みがなされているが、位置合わせされなかった「ＦＦ」などの文字が他ポートの上に表示されてしまう。これは先行技術より優れているが、依然として全体的な機能状態を判断する前に、各ポートの読み取り、解釈、および評価を必要とする。このモダリティでは、どのポートが開放されている（使用中である）か一目で解釈できず、やはり本発明より大きな過失発生率が伴う。これらの制限のため、このモダリティでは「３方」までの複雑度しか実現できない。
Ｌｏｏのストップコック（米国特許第６，１５８，４６７号明細書、米国特許第６，４１８，９６６号明細書、および米国特許第６，４５７，４８８号明細書）には、確かにハブ内（のノブ側）に片側のみの中央流路が含まれる。この片側のみの中央ポートは外部ポートとだけ連通し、前記ハブ内全体に流体が流れないようにする。Ｌｏｏのストップコックの機能は解釈が非常に難しく、どのポートが開放されており、また閉鎖されているかを判断することが困難である。Ｌｏｏの設計には、互いに混合しない別個の流路が２つ含まれており、特に十分な流れ指定システムがないことにより、複雑さおよび投薬の過失発生率が増大している。この設計等と比べ、本発明に係る選択的な中央流体流路は、送液ポート（Ｌｏｏの設計で必要とされる）に対する中央ハブの回転位置とは無関係に、点滴その他の流体源から前記中央ハブを通じた流体流通を可能にして全体的な機能を高め、有用なポート数を増やし、機能状態をより解釈しやすくするという、これまで強く要求されてきた利点をもたらす。本発明では、例えば、流体が継続して中央ポートを流通できるようにしながら、他の全ポートをオフにできる（Ｌｏｏの設計にこれを実現する手段はない）。Ｌｏｏの設計は、中央ポートから周辺ポートへの流れを可能にするのみである。
この出願の発明に関連する先行技術文献情報としては、以下のものがある（国際出願日以降国際段階で引用された文献及び他国に国内移行した際に引用された文献を含む）。
【先行技術文献】  
【特許文献】
【手続補正３】
【補正対象書類名】明細書
【補正対象項目名】０００８
【補正方法】変更
【補正の内容】
【０００８】
【特許文献１】  米国特許第５０７４３３４号明細書
【特許文献２】  米国特許第４５６６４８０号明細書
【特許文献３】  米国特許第５９４４０５５号明細書
【特許文献４】  米国特許第５８３２９５９号明細書
【特許文献５】  米国特許第４２３２７０９号明細書
【発明の概要】
【課題を解決するための手段】